(57)【要約】【課題】爆発放散型エアロゾル消火装置内筒を提供する。【解決手段】筒体（３）と筒体（３）の一端に設けられる筒蓋部品（４）とを含む爆発放散型エアロゾル消火装置内筒であって、筒体（３）に、摩擦層（１１）と、コネクティングロッド（１２）と、ガイドユニット（１３）と、位置制限装置（１４）とを含む爆発放散装置が設けられ、コネクティングロッド（１２）は筒蓋部品（４）に接続され、前記摩擦層（１１）は、コネクティングロッド（１２）と筒体（３）との間に設けられ、コネクティングロッド（１２）がガイドユニット（１３）にガイドされて筒体（３）の熱気流の噴射方向に沿って変位する際、摩擦層（１１）は摩擦抵抗力とバッファリング力を与え、前記ガイドユニット（１３）は、コネクティングロッド（１２）が移動する際にガイド作用を果たす装置であって、前記位置制限装置（１４）は筒蓋部品（４）とコネクティングロッド（１２）に固定して接続され、コネクティングロッド（１２）の末端が筒蓋部品（４）までスライドした場合に位置制限装置（１４）によって位置が制限される。主に、爆発放散装置の移動と、位置制限過程において爆燃による運動エネルギーを消費することとによって、安全で有効な爆発放散の目的を達成し、薬柱（７）爆燃によって人身又は品物を傷つけることを防止する。【選択図】図１
2014521477.tif 000002
【特許請求の範囲】
【請求項１】
筒体（３）と筒体（３）の一端に設けられる筒蓋部品（４）とを含む爆発放散型エアロゾル消火装置内筒であって、
前記筒体（３）に、摩擦層（１１）と、コネクティングロッド（１２）と、ガイドユニット（１３）と、位置制限装置（１４）とを含む爆発放散装置が設けられ、
前記コネクティングロッド（１２）は筒蓋部品（４）に接続され、
前記摩擦層（１１）は、コネクティングロッド（１２）と筒体（３）との間に設けられ、コネクティングロッド（１２）がガイドユニット（１３）にガイドされて筒体（３）の熱気流の噴射方向に沿って変位する際、摩擦層（１１）は摩擦抵抗力とバッファリング力を与え、
前記ガイドユニット（１３）は、コネクティングロッド（１２）が移動する際にガイド作用を果たす装置であって、
前記位置制限装置（１４）は、コネクティングロッド（１２）を固定すると共に、コネクティングロッド（１２）の末端が筒蓋部品（４）までスライドした場合にその位置を制限する装置であることを特徴とする爆発放散型エアロゾル消火装置内筒。
【請求項２】
前記ガイドユニットは、コネクティングロッド（１２）に固定して接続されたガイドリング（１５）、又は、筒体（３）の外壁に設けられてコネクティングロッド（１２）をその軸方向に沿ってスライドさせるガイド溝であって、前記位置制限装置（１４）は、筒体（３）に固定して接続されたフランジング（１６）と、コネクティングロッド（１２）を固定するための係止爪（１７）と、を含み、前記フランジング（１６）とガイドリング（１５）との間に衝撃緩和部品（１８）が設けられることを特徴とする請求項１に記載の爆発放散型エアロゾル消火装置内筒。
【請求項３】
前記フランジング（１６）と筒体（３）が一体的に形成されることを特徴とする請求項２に記載の爆発放散型エアロゾル消火装置内筒。
【請求項４】
前記コネクティングロッド（１２）と筒蓋部品（４）が固定して接続される、又は一体的に形成されることを特徴とする請求項１乃至３の中のいずれかに記載の爆発放散型エアロゾル消火装置内筒。
【請求項５】
前記コネクティングロッド（１２）の変位が３０〜８０ｍｍであることを特徴とする請求項４に記載の爆発放散型エアロゾル消火装置内筒。
【請求項６】
前記筒蓋部品（４）の噴射口がゴムシール（１０）で密封されることを特徴とする請求項５に記載の爆発放散型エアロゾル消火装置内筒。
【請求項７】
前記筒蓋部品（４）と筒体（３）との接続箇所に、断面が円形であるシールリング（９）が設けられることを特徴とする請求項６に記載の爆発放散型エアロゾル消火装置内筒。
【発明の詳細な説明】
【技術分野】
【０００１】
本発明は、消防消火技術分野に関し、特に、爆発を防止し圧力を放散し反跳力を低減できるエアロゾル消火装置に関する。
【背景技術】
【０００２】
既存のエアロゾル消火装置は、通常、内筒体と、内筒体に設けられた内筒蓋部品と、内筒体の内部に順に設けられた断熱材で覆われた火工品、点火プラグ、冷却剤、セラミックスシート等を備え、正常である場合、点火プラグにより火工品を点火した後、薬柱は高速の分層燃焼を介して大量のエアロゾル煙霧を発生し、これらの高温のエアロゾルは冷却剤層によって冷却された後、筒蓋部品の噴射口から噴射され、発火源に直接作用して消火の目的を実現する。しかし、被覆層が破損し、火工品薬柱に割れ目が発生し又は気体通路が閉塞されると、内筒体の内部圧力が上昇し、薬柱が爆発し、急速に上昇した超高圧気体が高速に前へ放散され、高速で衝撃して噴射口を開き、大きい反跳力を発生する。大きい反跳力によって内筒体を高速に後ろへ移動させ、操作者を傷つけることになる。同時に、爆発放散した後、熱気流は内筒体の内部に蓄積され、エアロゾル消火装置の内筒蓋部品等も高速で内筒体から離脱され、遠く飛ばされ、他の意外事故をもたらし、さらに、蓄積された圧力が大きすぎると、内筒体の爆発等の厳しい事故が発生してしまう。
【０００３】
しかし、既存のエアロゾル消火装置の内筒体は、放散爆発（防止）措置がなされていなく、一番汎用されるのは前蓋をしっかり押圧する方法であるが、安全に爆発放散できず、上記の問題を解決することができないので、既存のエアロゾル消火装置の内筒には、薬剤が爆発した後、大きい反跳力が発生し、内筒体が爆発し又は内筒蓋部品が離脱して人身又は品物を傷つける安全上の問題が存在する。
【発明の概要】
【発明が解決しようとする課題】
【０００４】
本発明は、既存技術におけるエアロゾル消火装置に爆発防止及び圧力放散の措置がなされていなく、薬柱が爆発した後、大きい反跳力が発生し又はその内筒体が爆発し又は部品が離脱して人身又は品物を傷つける安全上の問題を解決できる爆発放散型のエアロゾル消火装置の内筒を提供することを目的とする。
【課題を解決するための手段】
【０００５】
本発明による技術的手段は以下の通りである。
筒体（３）と筒体（３）の一端に設けられる筒蓋部品（４）とを含む爆発放散型エアロゾル消火装置内筒であって、前記筒体（３）に、摩擦層（１１）と、コネクティングロッド（１２）と、ガイドユニット（１３）と、位置制限装置（１４）とを含む爆発放散装置が設けられ、コネクティングロッド（１２）は筒蓋部品（４）に接続され、摩擦層（１１）は、コネクティングロッド（１２）と筒体（３）との間に設けられ、コネクティングロッド（１２）がガイドユニット（１３）にガイドされて筒体（３）の熱気流の噴射方向に沿って変位する際、摩擦層（１１）は摩擦抵抗力とバッファリング力を与え、ガイドユニット（１３）は、コネクティングロッド（１２）が移動する際にガイド作用を果たす装置であって、位置制限装置（１４）は、コネクティングロッド（１２）を固定すると共に、コネクティングロッド（１２）の末端が筒蓋部品（４）までスライドした場合にその位置を制限する装置であることを特徴とする爆発放散型エアロゾル消火装置内筒である。筒蓋部品（４）が位置制限装置（１４）から離脱して前へスライドする場合、筒体の内部の元の高圧気体は出（圧力放散）口の拡大によって、高速に分散されると共に、物理作用で消費・移転されて、爆発放散され、つまり、筒蓋部品（４）が前にスライドする過程が筒体（３）の圧力放散過程である。
【０００６】
前記ガイドユニットは、コネクティングロッド（１２）に固定して接続されたガイドリング（１５）又は筒体（３）の外壁に設けられてコネクティングロッド（１２）をその軸方向に沿ってスライドさせるガイド溝又はスライドレール又はガイド作用を果たすことのできる他の構造であり、
上記位置制限装置（１４）は、筒体（３）に固定して接続されたフランジング（１６）と、コネクティングロッド（１２）を固定するための係止爪（１７）又はコネクティングロッド（１２）を固定しつつコネクティングロッド（１２）の筒体（３）からの離脱を防止できる他の構造を含み、また、構造がさらに堅固で、コネクティングロッド（１２）の末端の筒体（３）からの離脱を防止できるように、フランジング（１６）が筒体（３）と一体的に形成されることもでき、フランジング（１６）とガイドリング（１５）との間に衝撃緩和部品（１８）が設けられて、コネクティングロッド（１２）の末端と筒体（３）又はコネクティングロッド（１２）の末端とフランジング（１６）との間の衝突力を緩和し、衝突過程を延長し、弾性エネルギーを解放することによって一部の爆発による運動エネルギーを消費する。
【０００７】
上記のコネクティングロッド（１２）は筒蓋部品（４）に固定して接続される又は一体に形成されることができ、これにより、筒蓋部品（４）の飛び出しを防止し、それによる意外事故を防止できる。
【０００８】
本発明のコネクティングロッド（１２）の変位は３０〜８０ｍｍで、５０〜６０ｍｍであることが好ましく、大きく変位すると、反跳力を低減することができなく、少ないと、運動エネルギーの消費が不十分で、筒蓋部品が位置制限装置１４の阻止から離脱する可能性が存在し、筒蓋部品が筒体から離脱すると、大きい反跳力が発生する。従って、変位を適切に制御することは極めて重要なことである。しかし、コネクティングロッド１２の変位は、具体的な応用環境に応じて調節でき、最適な爆発放散効果を実現できればよい。
【０００９】
上記の内筒蓋部品（４）の噴射口はゴムシール（１０）で密封され、密封及び防湿の作用を果たす。
【００１０】
上記筒蓋部品（４）と筒体（３）との接続所に断面が円形であるシールリング（９）が設けられて、コストを低減し、密封効果を向上させる。
【００１１】
本発明の上記の爆発は、火工品薬剤柱が割れ目又は破裂又は外部包装の失効によって燃焼することを示し、このような薬柱は極めて短い時間内に激しく燃焼し、その燃焼時間は正常の分層燃焼時間の１／１０である。薬柱が爆燃した後、ちょっとの間に大量の高圧高温気体を発生する。
【００１２】
本発明の動作原理は、薬柱（７）が爆燃する際、薬筒内の気圧が急速に増加され、筒蓋部品（４）上のゴムシール（１０）が高圧気体によって開かれ、気体が放散されるが、爆燃したので、正常の噴射口から放散できず、筒体（３）の内部の気圧が蓄積されて高圧気体になり、当該高圧気体によって既に９０度に湾曲されてコネクティングロッド（１２）と筒体（３）とを係合した係止爪（１７）が開放され、そして、係止爪（１７）は緩められて開かれ、その同時に、筒蓋部品（４）も筒体（３）から離脱してしまう。係止爪（１７）が緩められて開かれると、爆発エネルギーが係止爪の当該変形ポテンシャルエネルギーを克服し、一部の爆発エネルギーを消費する（爆発放散によるエネルギー消費方法１）。その後、スライドして出る筒蓋部品（４）がコネクティングロッド（１２）とガイドリング（１５）を連れて筒壁に沿って軸方向にスライドし、スライド中に摩擦層（１１）の作用で、筒蓋部品（４）とガイドリング（１５）が内筒体（３）の外壁をスライドする過程において、大きい摩擦抵抗が発生し、一部の筒蓋部品（４）の前への運動エネルギーを消費する（爆発放散によるエネルギー消費方法２）。ガイドリング（１５）と筒蓋部品（４）が前へ内筒体（３）の先端付近までスライドした場合、衝撃緩和部品（１８）はガイドリング（１５）と筒体（３）に設けられたフランジング（１６）によって押さえられ、一部の運動エネルギーを受け付ける（爆発放散によるエネルギー消費方法３）。二つの部品が対向してスライドして衝撃緩和部品（１８）をさらに押さえることができないように極限まで押さえる場合、当該衝撃緩和部品（１８）は２つの対向して接近する物体に反作用を与え、また、一部の蓄積した弾性ポテンシャルエネルギーを解放し、２つの物体間の接近をさらに阻止する。従って、一部の運動エネルギーも消費する（爆発放散によるエネルギー消費方法４）。最後に、ガイドリング（１５）の先端が内筒体（３）上のフランジング（１６）に衝撃し、フランジング（１６）の一部が弾性又は塑性変形し、前蓋及びスライドリングの前進を有効に阻止できる（爆発放散によるエネルギー消費方法５）。このようにして、爆燃によるエネルギーが殆ど消費され、コネクティングロッドと前蓋の移動が停止し、大きい反跳力が筒体（３）に作用することがなく、筒蓋部品（４）が飛び出されるリスクを有効に軽減することができる。筒蓋部品（４）が位置制限装置（１４）から離脱して前にスライドする過程において、筒体の内部の元の高圧気体が出（圧力放散）口の拡大により高速に分散又は消費される。つまり、筒蓋部品（４）が前に移動する過程は筒体の圧力放散過程で、全体の爆発又は部品の飛び出しによるリスクを防止でき、コネクティングロッドの限られた変位、即ち最終的な位置制限の目的は反跳力を低減し、反跳力によって人身及び品物を傷つけることを防止することである。
【発明の効果】
【００１３】
本発明による爆発放散型エアロゾル消火装置内筒によると、以下のメリットを有する。
１、本発明によれば、内筒体に爆発放散装置を設けて、爆発放散装置の移動と位置制限中に爆燃による運動エネルギーを消費することによって、薬剤の爆燃による反跳力又は衝撃力を消費又は緩和し、安全で有効な爆発放散の目的を達成し、薬柱爆燃によって人身又は品物を傷つけることを防止する。
２、本発明では、コネクティングロッドと筒蓋部品とは接続され、フランジング及び係止爪の構造で、コネクティングロッドの運動を有効に制御できる。当該構造によれば、大きい衝撃力が筒蓋部品に作用して筒蓋部品が筒体から離脱することを防止でき、筒蓋部品が飛び出されて意外事故が発生することを防止できる。
３、本発明の位置制限装置のフランジングが内筒体と一体的に形成され、構造が一層堅固で、耐衝撃性能が一層向上する。
４、本発明の構造が簡単で、装着に便利である。
【図面の簡単な説明】
【００１４】
【図１】図１は、本発明の内筒の構造を示す図である。
【図２】図２は、本発明の内筒の断面図である。  １−エアロゾル消火装置  ２−爆発放散装置  ３−筒体  ４−筒蓋部品  ５−セラミックスセルラ冷却層  ６−冷却剤  ７−薬柱  ８−点火プラグ  ９−シールリング  １０−ゴムシール  １１−摩擦層  １２−コネクティングロッド  １３−ガイドユニット  １４−位置制限装置  １５−ガイドリング  １６−フランジング  １７−係止爪  １８−衝撃緩和部品  １９−保温断熱層
【発明を実施するための形態】
【００１５】
本発明は爆発放散型エアロゾル消火装置の内筒を提供し、以下、図面を結合して好適な実施形態を説明する。
図１と図２に示すように、本発明のエアロゾル消火装置１の内筒は、既存の内筒を用いて、その上に、爆発放散装置を追加することで、既存のエアロゾル消火装置１が爆発を防止し圧力を放散することができない問題を解決し、又は、他の内筒を用いることもでき、爆発を防止し圧力を放散する必要があるエアロゾル消火装置１の内筒に適用する。
【００１６】
本実施形態の内筒は、筒体３を含み、筒体３の先端に筒蓋部品４が設けられ、筒体３の内部に順にセラミックスセルラ冷却層５、冷却剤６、薬柱７、薬柱７の先端断面における点火プラグ８が設けられ、通常、筒体３と筒蓋部品４とはシールリング９によって密封されて接続され、ここで、シールリング９の断面は四方形又は円形又は他の形状であることができる。筒蓋部品４は、噴射口とラッパノズルとを含み、且つ、噴射口の中心はラッパノズルの中心に対向し、噴射口をゴムシール１０又はアルミ箔で密封し、また、セラミックスセルラ冷却層５は冷却剤６を固定して冷却剤６が落ちることを防止しつつ物理的な冷却作用を果たし、高温の熱エアロゾルの温度を低下させ、通常、セラミックスセルラ冷却層５を冷却剤６の先端に設けることができ、また、冷却剤６の中間に設けることもでき、又は冷却剤６の先端と中央に設けることもでき、実際の応用状況に応じてその位置及び数を決めることができる。本発明のラッパノズルの直径の大きい一端はセルラ冷却層に接続され、エアロゾルを案内して噴射口から噴出させ、また、ラッパノズルは筒蓋と一体的に構成されることもできる。薬柱７と筒体３の内壁との間に保温断熱作用を果たす保温断熱層１９を設けて、エアロゾルの燃焼による熱が放散されて周囲の人又は物を傷つけることを防止することができる。
【００１７】
本発明の爆発放散装置２は、主に摩擦層１１と、コネクティングロッド１２と、ガイドユニット１３と、位置制限装置１４と、衝撃緩和部品１８と、を含み、ここで、コネクティングロッド１２は筒蓋部品４に溶接、リベット結合等の固定接続方式で接続され、または、一体的に形成されることもでき、この場合、構造強度がさらに大きい。摩擦層１１は、一つ又は複数のゴムリング又はシリカゲル層又はコネクティングロッド１２の軸方向のスライドに充分な摩擦抵抗を提供できる他の材料であればよく、摩擦層１１をコネクティングロッド１２と筒体３との間に設けることができ、又はコネクティングロッド１２の内側に直接固定することもでき、コネクティングロッド１２がガイドユニット１３のガイドにより筒体３の軸方向に沿って変位する際、摩擦層１１は摩擦抵抗とバッファリング力を与える。ガイドユニット１３は、コネクティングロッド１２が移動する際にガイド作用を果たす装置で、コネクティングロッド１２に固定して接続されるガイドリング１５であってもよいし、筒体３の外壁に設けられてコネクティングロッド１２がスライドするガイド溝又はスライドレール又はガイド作用を果たすことのできる他の構造であってもよく、当該ガイド構造により、コネクティングロッド１２が筒体３で移動する際に位置ずれたり引っかかったりすることを防止できる。ガイドリング１５でガイドする際、ガイドリング１５とコネクティングロッド１２の末端が固定して接続され、又は直接に一体的に形成されることができる。本発明の位置制限装置１４は、コネクティングロッド１２を固定することができ、コネクティングロッド１２の末端が筒蓋部品４までスライドした時、その位置を制限する装置である。コネクティングロッド１２の末端が筒蓋部品４の位置に達した場合、位置制限装置１４により位置が制限される。位置制限装置１４は、主にフランジング１６と、係止爪１７とを含み、ここで、フランジング１６は筒体３に固定して接続されるか、直接に一体的に形成されることもできる。一方、係止爪１７は一端がコネクティングロッド１２に固定され、他端が筒体３に係合して接続され、コネクティングロッド１２を固定する。コネクティングロッド１２は、係止爪１７と一体的に形成されることもできる。また、本発明の位置制限装置１４は他の構造であってもよく、コネクティングロッド１２を固定しつつコネクティングロッド１２の筒体３からの離脱を阻止できる構造であればよい。本発明において、フランジング１６は筒体口に設けられる凸台であることができ、ガイド溝と一体的に形成されることもでき、応用環境に応じてその構造を選択できる。ガイドユニット１３がガイドリング１５である場合、ガイドリング１５とフランジング１６との間に、ガイドリング１５又はコネクティングロッド１２の末端と筒体３又はフランジング１６との間の衝突力を緩和するための衝撃緩和部品１８を設けることによって、衝突時間を長くし、その弾性機能を解放して爆燃による運動エネルギーの一部を消費することができる。
【００１８】
本発明のコネクティングロッド１２の変位は３０〜８０ｍｍに制御され、且つ、５０〜６０ｍｍであることが好ましい。これは、大きく変位すると、反跳力を低減することができなく、少ないと、運動エネルギーの消費が不十分で、筒蓋部品が位置制限装置１４の阻止から離脱する可能性が存在し、筒蓋部品が筒体から離脱すると、大きい反跳力が発生するからである。しかし、コネクティングロッド１２の変位は、具体的な応用環境に応じて調節でき、最適な爆発放散効果を実現できればよい。
【００１９】
内筒の薬柱７が正常に燃焼される場合、熱気体は筒蓋部品４の噴射口から噴出され、大きい気流が発生されなく、これにより、爆発放散装置２が起動されず、コネクティングロッド１２は係止爪１７によって筒体３に固定され、筒体３の軸方向に沿って移動して変位することがない。ただ、薬剤が意外に爆燃する時、大きい熱気流により筒蓋部品４とコネクティングロッド１２を熱気流の噴出方向に移動させる場合のみに、位置制限装置１４の係止爪１７は大きい衝撃力の作用でスライドして離脱し、この過程において一部の衝撃運動エネルギーを消費することになる。コネクティングロッド１２は、熱気流に押さえられて、ガイドリング１５を連れて筒体３の外壁の軸方向に沿ってスライドして変位し、移動中に摩擦層１１により摩擦抵抗を与え、一部の衝撃運動エネルギーを消費し、コネクティングロッド１２の末端が筒体３の噴射口に達した場合、筒体３に固定されている位置制限装置１４のフランジング１６がコネクティングロッド１２の末端の筒体３からの離脱を阻止し、この時、フランジング１６とガイドリング１５との間に設けられた衝撃緩和部品１８が弾性を有するので一部の衝撃運動エネルギーを消費し、また、コネクティングロッド１２の末端とフランジング１６との間の大きい衝撃力を緩和する作用を果たし、最後の運動エネルギーが衝突する形態でフランジング１６に作用する際、フランジング１６が弾性又は塑性変形し、残りの運動エネルギーを全て消費する。これにより、薬柱７の爆燃による大きい衝撃運動エネルギーを消費又は分散させることで、人員及び品物を傷つけることを防止できる。
【００２０】
本発明の内筒は上記の実施形態の構造に限られず、また、携帯式消火装置又は固定式消火装置に限られることもなく、圧力の放散及び爆発防止の問題に係わっている他の装置にも適用できる。
【図１】
2014521477.tif 000003
【図２】
2014521477.tif 000004
【国際調査報告】
2014521477.tif 000005
2014521477.tif 000006
2014521477.tif 000007
2014521477.tif 000008
2014521477.tif 000009
2014521477.tif 000010
2014521477.tif 000011
2014521477.tif 000012